(57)【要約】【課題】屋根上の積雪を任意のタイミングで滑落させる。【解決手段】低温でも脆化しにくい、変形可能な、外側に湾曲または気体により膨張させた屋根部材を複数並べた屋根に積雪させ、その積雪を滑落させたい時に前記屋根部材の一部を移動してに変形させる事で、積雪と密着していた屋根部材は剥離する。この時、同時に積雪の雪圧による屋根部材接触抵抗が大きかった前記屋根部材の谷間部分が広がり、空間が出来て積雪との接触抵抗が更に減少するので前記屋根上の積雪は自重により滑落する。【選択図】図１
2020139352.tif 000002
【特許請求の範囲】
【請求項１】
湾曲または屈曲または膨張収縮可能な部材を、少なくともその一部に使い、前記部材を外側に膨らんで突出したものを棟方向または屋根の勾配方向と交わる方向に複数配置し、その状態から前記部材の一部が移動、変形可能な屋根構造。
【請求項２】
請求項１に記載の、２つ以上の部材を並べた際、隣り合う前記部材同士が谷間状に狭くなる部分が出来る様に配置された屋根構造。
【請求項３】
請求項１または請求項２において、湾曲または屈曲可能な部材を、裏面から、変形または移動可能に、保持する補強材を備えた屋根構造。
【請求項４】
請求項１または請求項２において、前記屋根部材の内側、または屋根部材そのものに、
密閉可能で柔軟性のある気室を持ち、前記屋根部材は前記気室の加圧または減圧により変形可能な屋根部材の構造。
【請求項５】
請求項１〜３のいずれかにおいて、前記屋根部材が湾曲または屈曲可能な部材の一部、を前記屋根構造の内側方向に移動させる機構を持つ屋根構造。
【請求項６】
請求項１〜５のいずれかにおいて、前記屋根部材が、湾曲または屈曲可能な部材、または屋根全体に、衝撃または振動、を与える機構を持つ屋根構造。
【請求項７】
請求項１〜６のいずれかにおいて、前記湾曲または屈曲可能な部材の一部、または前記部材そのもの、または前記屋根構造の内側に、発熱体、または熱媒体を通す配管、が、配置された屋根構造。
【発明の詳細な説明】
【技術分野】
【０００１】
本発明は屋根と、それに積もった雪との間に生ずる摩擦のコントロールに関するものである。
【背景技術】
【０００２】
豪雪地帯の屋根に積もった雪下ろし作業は重労働であり、毎年それに拘わる事故により多くの死者や負傷者を出しており、加えて近年の高齢化により雪下ろしが可能な作業員の不足という問題も起こっている。
【０００３】
特許文献１及び２は作業する人員が必要であり、労力を必要とする。
更に屋根に登っての滑落の危険は無いとは言え、作業者は落下してくる雪に注意する必要がある。
特許文献３は、積雪量によっては緩んだシートを引っ張る非常に強い力を必要とし、特に屋根上の雪が凍結して大きな雪板状となった場合は、更なる大きな力が必要となり、その場合、屋根構造に想定外の力を加えることになる。
と、いった問題があった。
【０００４】
特許文献４は電熱を利用して、一部の屋根上の積雪を溶かして滑落させるものがあるが、これは滑落のタイミングが予測出来ず、危険である。
【先行技術文献】
【特許文献】
【０００５】
【特許文献１】特願２０１６−１９５４３６
【特許文献２】特願２０１６−１２７１９２
【特許文献３】特願２０１６−２０４００４
【特許文献４】特開２０１３−２３４４３９
【発明の概要】
【発明が解決しようとする課題】
【０００６】
屋根上の積雪に対して、作業者が屋根に上がる事無く、前記屋根上の積雪と前記屋根との摩擦を任意のタイミングで減少させる。
【課題を解決するための手段】
【０００７】
外側に膨らむ様に突出または湾曲させた状態で変形可能に保持した部材を屋根の棟方向または前記屋根の勾配方向と交わる方向に複数配置したものを屋根構造とし、
積雪時の任意のタイミングで前記部材の一部を移動させる事で、前記積雪と、前記積雪と接する屋根部材との間に空隙が生じ、前記積雪と接する屋根部材との間の摩擦を大きく減少させて積雪の滑落を引き起こさせる。
原理的には製氷皿を捻って中の氷を取り出す事に似ている。
【０００８】
（定義）
特に説明がない限り、本出願における「変形」とは、突出した屋根部材の一部を、任意のタイミングで、前記屋根部材の突出方向またはその反対方向に移動させて、前記屋根形状が変化することを指す。
【０００９】
本出願における低温とはマイナス２０度程度を指し、極低温とはマイナス４０度程度を指す。
【００１０】
本出願における「屋根部材の長さ方向」とは棟から軒先方向または、屋根勾配の勾配方向である。
また、本出願における「板幅」とは前記屋根部材の長さ方向と直交する方向の部材の幅を指す。
また、本出願における「断面」とは特に記載が無い限り、前記前記屋根部材の長さ方向と直交する面で切った面を指す。
【発明の効果】
【００１１】
本件発明は任意のタイミングで屋根部材の形状を変形させる事で、屋根上の積雪と屋根との間の接触面積を大きく変え、摩擦を大幅に減少させる事により屋根上の積雪自体の重さで滑落させる事で、その雪下ろし作業を屋根に登る事無く、安全に行えるものである。
【００１２】
また、変形前の平常時（積雪待機時）の屋根形状は外側に膨らむ様に突出または湾曲させた部材が、隣り合う前記屋根部材同士の水平方向の距離が徐々に狭くなり、ついには互いが接する、または最も近くなる谷間の様な断面形状を持つ事で、最初の積雪では谷間部分から雪が積もりはじめる。
この時積雪の圧力は重力方向のみならず、屋根の谷間ではその谷間を広げる方向にも生じ、この圧力は更なる積雪により、より強くなる。
従って、雪の自重により屋根の勾配方向に滑落しようとする力は、その広い接触面積により本発明の屋根と雪の間に生ずる摩擦は、平面部に積もった雪より大きなものとなり、屋根上の雪を保持して、屋根からの不用意な雪の滑落を防ぐ。
【００１３】
使用者の判断、もしくはセンサーの検出により、一定の積雪量になった時、
手動もしくは液圧、電気モーターなどの動力により、本発明の屋根構造の一部を移動させる事で、屋根部材が変形して、今まで接していた屋根と屋根に積もった雪との間に空隙が生じ、今まで滑落をつなぎ止めていた摩擦が急激に減って、屋根上の積雪は滑落する。
この時、前記屋根部材を部分的に順次変形させると、滑落させる部分を順次コントロールする事が出来る。
【図面の簡単な説明】
【００１４】
【図１】柔軟な平板部材で作られた変形可能な屋根部材の基本的な断面形状の例
【図２】波板状部材で作られた変形可能な屋根部材の基本的な断面形状の例
【図３】対面する柔軟な平板状部材で作られた変形可能な屋根部材の断面形状の例
【図４】対面する波板状部材で作られた変形可能な屋根部材の断面形状の例
【図５】屋根部材における谷間部に作用する積雪の圧力の断面説明図
【図６】変形可能な屋根部材の断面形態例
【図７】屋根部材に合わせて設置されるべき屋根部材の変形に対応可能な可動補強材の例
【図８】屋根部材に合わせて設置されるべき屋根部材の変形に対応可能な可動補強材の例
【図９】屋根部材を保持する一部が可動で屋根部材を変形可能な屋根構造の例
【発明を実施するための形態】
【００１５】
（屋根部材の起伏形状を変形可能な屋根構造）
図１や３の様に屋根部材自体またはその一部に変形可能な柔軟性があるか、使用する部材に十分な変形可能な柔軟性がなくとも、図２や４の様に、その一部または全部を波板状に加工する事によって柔軟性が得られる様にした屋根部材を例えばｆ２Aの様に前記屋根部材の板幅より狭い保持枠で、外側に膨らむアーチ状にしたものを複数配置して屋根とする。
この時、前記屋根に積もった雪の重さによって、前記アーチ状の形状が変形しない様に前記アーチ状の部材の内側に図７、８に例を挙げる様に変形、移動可能な補強材、または膨張収縮可能な気室（図示しない）を備えていても良い。
また、積雪を滑落させる際の本件屋根部材の変形後の形状は必ずしも変形前の反転形状である必要は無く、その屋根部材の変形により、前記屋根部材変形前の屋根上の積雪の断面形状と屋根部材との間に空隙が出来る形状変化が有れば良い。
【００１６】
（材質）
本発明に使用される、雪と接触可能な屋根部材の材質は想定される低温において、その柔軟性を失わず、その変形時に加わる力による脆性が見られないものが求められる。
例えば、図２、４、６に示す様に板材や波板加工を全部または一部に施した金属薄板や、ポリカーボネート等の低温での脆化の少ない樹脂、同じく低温での脆化の少ないＦＲＰ、ＣＦＲＰ、ＣＦＴＰ（熱可塑性炭素繊維プラスチック）、等の複合材料などとの組み合わせ、または前記複合材料で作られても良く、図６のｆ６Ｃ、ｆ６Ｄの様に湾曲可能部材の基部に弾性体を使って前記屋根部材の変形時に加わる力を吸収させても良い。
特にオーステナイト系ステンレス鋼は低温脆性が無いため、前記オーステナイト系ステンレス鋼薄板をそのまま、または波板状に加工したものは屋根部材として極低温環境に対応可能である。
【００１７】
また、前記屋根部材の変形時、湾曲可能部材の取り付け基部の湾曲可能部材の向きが大きく変化する部分には図６のｆ６Ｅの様にヒンジを設けても良い。
また、前記屋根部材の何れかとの雪と接触可能な部分の一部または全部に、撥水、撥雪加工がされるか、撥水、撥雪素材が塗装、溶着、蒸着、接着、ラミネートされていても良く、想定の低温下の変形時における脆性が見られないものであれば、撥水または撥雪素材そのものが使われていても良い。
【００１８】
（凸型形状の補強および変形）
撓み柔軟性のある屋根部材は、変形前の通常時においては、外側に膨らむ様にアーチ状（Semi-cylindrical）に撓み、その状態が保持される様に枠で固定されている。
【００１９】
本来、アーチ型の形状は外圧からの変形に強い形状ではあるが、形状変化を前提とした柔軟性を持つ板で屋根部材を構成すると、アーチ型の幅が小さい場合を除き、積雪による圧力には必然的によって変形し易く、その場合、予期せず変形する事で不意の雪の滑落は予防できない。
【００２０】
そこで、図７，８に例を挙げる様に、その形状と、それにかかる積雪荷重を内側から支える移動または回転可能なフレーム、骨材が入り、内部から前記屋根部材を支え、かつ屋根部材の任意のタイミングで動作するメカニズムによる変形を邪魔しない位置に退避可能な補強材が配置されるべきである。
また、前記屋根部材を補強している部材の移動と連動して、屋根を変形させても良い。
【００２１】
なお、屋根部材の移動/変形は一時的であっても良く、前記屋根部材の一部の移動は大きな形状の変化を必ずしも必要としない。
また、その移動方向は上方向または前記屋根構造の外側方向の移動であっても良い。
例えば、積雪と接した屋根部材の下にセットしたローラーを変形可能な屋根部材の下から上方向に僅かに持ち上げる様に通過させる事で、前記積雪と、前記屋根部材との癒着した状態が解ければ、その屋根部材の変形が小さくとも、前記積雪の滑落は可能である（図示しない）。
その際、前記ローラーに振動を与えたり、前記ローラー自身が偏心ローラーで振動を起こしても良い（図示しない）。
【００２２】
また、積雪荷重を支えるフレーム、骨材の代わりに、変形可能な気密容器、または気密袋等の気室に加圧された気体を充填したものを用いても良い。
【００２３】
また、密閉された気室の形状が、前記気室の加圧または減圧により変形することにより屋根の起伏状態を変化させても良い。
更に、前記屋根部材に雨や雹等が当たって破損や音が発生する事を防ぐ為、前記屋根部材の内側または外側に低温でも固化、脆化しない柔軟な弾性体または発泡体を接着、ラミネートしても良い。
開閉と加圧減圧可能な密閉された柔軟な気室を使って前記屋根部材の補強材とする利点は柔軟な気室は氷結しにくいので、氷結によるメカニズム膠着の可能性が少なく、軽量に実現出来る点にある。
【００２４】
前記屋根部材の変形時における前記補強材の退避移動時には前記屋根部材に積雪の圧力が加わって、その退避移動時には大きな摩擦や、可動部分の氷結が予想される。
従って、前記補強材の退避が容易になる様にローラー、潤滑材、潤滑剤などで摩擦を軽減させても良く、可動部分には低温でも固化しないグリース等で覆うべきである。
また、前記メカニズムや気室による屋根部材の変形は、一度に変形させても良いし、部分的な変形を順次行っても良く、例えば、同じ屋根部材の中で高さ方向に順次変形させても良いし、棟方向または屋根の勾配方向と交わる方向に複数の屋根部材を順次変形させても良い。
【００２５】
図９のf９Ａはアーチ形に湾曲させた柔軟な板を固定して保持する基部３７と、移動可能な保持部３６を棟方向に交互に配置された屋根構造で、ｆ９Ｂの様に手前のみ９方向に３６が動いて屋根部材が変形して、積雪との空隙を作る。
同様にｆ９Ｃはｆ９Ｂに加えて奥側も３６が９方向に動いて、更に広い範囲で空隙が出来るもので、３６の移動のタイミングは同時で無くても良い。
図９は図９以前に説明してきた他の屋根構造に比べて屋根部材の変形量が少なく、アーチ状の湾曲の水平方向の幅を小さく取れば、それ自体の剛性で屋根部材の裏側から支えるべき補強材も不要となるので、比較的曲がりにくいオーステナイト系ステンレス鋼薄板を使っても可能である。
また、この方式は可動部分を少なく出来、氷結で部材が固着して動作不良になる危険性が少なくなるメリットもある。
【００２６】
（V字部の摩擦）
屋根勾配のある一般的な屋根部材に、撥水材（剤）、撥雪材（剤）が使われていると、前記屋根部材とそれに積もる雪との間の摩擦は小さくなり前記雪を滑落させやすくするが、反面、積雪の不意な滑落は予測し難く危険である。
【００２７】
本出願のアーチ状屋根部材上に雪が積もり始めると、隣り合う前記アーチ状屋根部材同士との間に出来るV字状の谷間部から積雪してゆく。
この時、前記アーチ状屋根部材と雪が接する面積は平らな屋根に雪が積もった際より大きく、更に積雪量が増す事により、図５のｆ５−１〜ｆ５−４に見られる様に、雪の自重で前記谷間部に雪が押しつけられる圧力が増えて事実上の積雪と接する前記アーチ状屋根部材との摩擦が増える。
従ってこの状態で、屋根の積雪は容易には滑落しないので、前記積雪の不用意な滑落による危険を回避できる。
【００２８】
（突起）
更に、前記谷間部分に、アーチ状の屋根部材の一部を移動して、前記屋根部材を変形させる際に連動して、引き込みまたは折りたたみ可能な突起を設けても良い。
この突起により、摩擦によってのみで無く障害物によって確実に屋根の積雪の滑落を防ぐ事が出来る。
【００２９】
（滑落の制御）
センサー、またはセンサーとコンピューター、または人による雪下ろしのタイミングの判断が出た時点で、人力または他の動力により、外側に膨らんだ前記アーチ状の屋根部材を内側に引く（図１〜４、６〜９の例の場合）事で、前記屋根部材の一部が内側に変形し、前記屋根部材と前記屋根に積もった雪との間に突然空間が生じる。
【００３０】
これは前記屋根部材と積雪との間の接触面積と接触摩擦が突然に減少する事であり、前記屋根に積もった雪の重さに対して屋根に留まろうとする力が突然減少する事でもある。
この時、前記屋根部材と前記屋根に積もった雪との間に生じた空間に前記雪が崩落したり、前記雪自体の重さにより、前記積雪に亀裂が生じたりして、結果的に前記屋根の斜面を前記屋根上の積雪は滑落する。
この時、前記外側に突出した形状の屋根部材を移動させるタイミングを部分的に順次ずらす事により、屋根上の積雪を計画的に順次滑落させる事が出来る。
【００３１】
（振動）
本件発明による屋根部材において、前記屋根部材と接した積雪が一部溶けて再び凍結する事により、互いが癒着する可能性がある。
その場合、前記屋根部材の一部または全部を振動させてその癒着を剥離させると良い。
具体的には例えば、前記屋根部材の一部をハンマー等で打ち、前記屋根部材を衝撃で振動させて前記癒着部分を剥離させたり、
振動装置を使い、低周波の振動を、前記屋根部材の一部または全部に与えたり、
超音波領域で前記屋根部材の一部または全部を振動させ、その微細な振動で屋根部材とそれに癒着した積雪との間に摩擦熱を生じさせ、一時的に氷結を溶かして剥離させても良い。
また、前記ハンマーや前記振動装置と前記超音波を組み合わせて使用しても良い。
尚、前記振動の方向は特に定めない。
【００３２】
（発熱体）
本件出願の屋根部材は、任意のタイミングで発生する熱が、屋根部材に伝わる配置がなされた、電熱ヒーターなどの発熱体または、液体や気体の熱媒体が循環可能なパイプ等が配線、配管されていても良い。
また、前記発熱体を屋根部材に内蔵、または前記屋根部材そのものが発熱体で有っても良い。
【００３３】
本明細書に記載の実施例及び図面はあくまで一例に過ぎず、前記実施例及び図面に本発明が限定される事は無く、本出願の請求項に記載の趣旨を逸脱しない範囲であれば、本発明に含まれる。
【符号の説明】
【００３４】
ｆ１Ａ  柔軟な平板で作られた変形可能な屋根部材の積雪時の待機状態（断面形状）
ｆ１Ｂ  柔軟な平板で作られた変形後の屋根部材の雪下ろし時の状態（断面形状）
ｆ２Ａ  波板で作られた変形可能な屋根部材の積雪時の待機状態（断面形状）
ｆ２Ｂ  波板で作られた変形後の屋根部材の雪下ろし時の状態（断面形状）
ｆ３Ａ  柔軟な平板で作られた変形可能な屋根部材の積雪時の待機状態（断面形状）
ｆ３Ｂ  柔軟な平板で作られた変形後の屋根部材の雪下ろし時の状態（断面形状）
ｆ４Ａ  波板で作られた変形可能な屋根部材の積雪時の待機状態（断面形状）
ｆ４Ｂ  波板で作られた変形後の屋根部材の雪下ろし時の状態（（断面形状）
ｆ５Ａ  柔軟な平板で作られた変形可能な、隣り合う屋根部材の谷間部分に掛かる積雪時の圧力（断面形状）
ｆ５Ｂ  波板で作られた変形可能な、隣り合う屋根部材の谷間部分に掛かる積雪時の圧力（断面形状）
ｆ５Ｃ  波板で作られた変形可能な、隣り合う屋根部材の谷間部分に掛かる積雪時の圧力（断面形状）
ｆ５Ｄ  柔軟な平板で作られた変形可能な、隣り合う屋根部材の谷間部分に掛かる積雪時の圧力（断面形状）
ｆ６Ａ  基部に波板状部分を持つ屋根部材の例（断面形状）
ｆ６Ｂ  基部に波板状（ジグザク状）部分を持つ屋根部材の例（断面形状）
ｆ６Ｃ  弾性体で支えられる屋根部材の例（断面形状）  
ｆ６Ｄ  弾性体で支えられる屋根部材の例（断面形状）
ｆ６Ｅ  ヒンジを持つ屋根部材の例（断面形状）
ｆ７Ａ  図3の補強材の変形前の状態
ｆ７Ｂ  図3の補強材の変形後の状態
ｆ７Ｃ  図3の補強材の変形前の状態（変形可能な板状屋根部材付き）
ｆ７Ｄ  図3の補強材の変形後の状態（変形可能な板状屋根部材付き）
ｆ８Ａ  図1の補強材の変形前の状態
ｆ８Ｂ  図1の補強材の変形途中の状態
ｆ８Ｃ  図1の補強材の変形後の状態
ｆ９A  板状の屋根部材の保持部の一部を動かす事で屋根部材を変形させる方式の変形前
ｆ9B  ｆ９Aの保持部の一部が動いて屋根部が変形した例
ｆ９C  ｆ９Bの保持部の更なる一部が動いて屋根部が変形した例
1、2、3、4  積雪の圧力方向
５  屋根部材の変形方向
６、７、８  屋根部材変形時の補強材の旋回退避方向
９  屋根部材を保持する保持部の変形時における移動方向
１０ａ  波板状部材をアーチ状に湾曲させた平板状屋根部材の形態（積雪待機時）
１０ｂ  1０ａを反転変形させた平板状屋根部材の形態（雪下ろし時）
１１ａ  波板状部材をアーチ状に湾曲させた平板状屋根部材の形態（積雪待機時）
１１ｂ  1１ａを反転変形させた平板状屋根部材の形態（雪下ろし時）
２０  平らな板材をアーチ状に湾曲させた平板状屋根部材
２０ａ  平らな板材をアーチ状に湾曲させた平板状屋根部材の形態（積雪待機時）
２０ｂ  ２０ａを反転変形させた平板状屋根部材の形態（雪下ろし時）
２１ａ  平らな板材をアーチ状に湾曲させた平板状屋根部材の形態（積雪待機時）
２１ｂ  ２１ａを反転変形させた平板状屋根部材の形態（雪下ろし時）
３０  カバー
３１  屋根部材の補強板
３２、３３  屋根部材の補強材
３４、３５  補強材の旋回軸
３６  可動な屋根部材の保持部分
３７  固定された屋根部材の保持部分
４０、４１  弾性体
５０  ヒンジ
１００  屋根上の積雪
【図１】
2020139352.tif 000003
【図２】
2020139352.tif 000004
【図３】
2020139352.tif 000005
【図４】
2020139352.tif 000006
【図５】
2020139352.tif 000007
【図６】
2020139352.tif 000008
【図７】
2020139352.tif 000009
【図８】
2020139352.tif 000010
【図９】
2020139352.tif 000011